(57)【要約】【課題】一の客室への宿泊客を増大させて床面積の使用効率を増大させることができ、しかもくつろぐことができる宿泊が可能なホテルの客室を提供する。  【解決手段】入り口ドア９から部屋２の奥側に向かって延びる通路２１が設けられ、通路２１の長手方向に沿って延びるベッド３１〜３８が上下２段かつ通路２１の左右両側に２列に並べられることにより８人分のベッドが部屋２内に配置され、通路２１の長手方向で隣接しているベッドの間に仕切り壁４１、４２が設けられて隣接するベッド間が仕切られている。【選択図】図１
2014234678.tif 000002
【特許請求の範囲】
【請求項１】
入り口ドアから部屋の奥側に向かって延びる通路が設けられ、
前記通路の長手方向に沿って延びるベッドが上下２段かつ通路の左右両側に２列に並べられることにより８人分のベッドが部屋内に配置され、
前記通路の長手方向で隣接しているベッドの間に仕切り壁が設けられて隣接するベッド間が仕切られていることを特徴とするホテルの客室。
【請求項２】
請求項１記載のホテルの客室であって、
前記各ベッドのベッド空間と前記通路とがカーテンによって間仕切り可能となっていることを特徴とするホテルの客室。
【請求項３】
請求項１または２記載のホテルの客室であって、
前記ベッドの配置領域以外の領域に洗面台、トイレ室、ロッカーが配置されていることを特徴とするホテルの客室。
【発明の詳細な説明】
【技術分野】
【０００１】
本発明は、ホテルの客室に関し、特にホテルとしての気品を保ったままで床面積を広くすることなく一つの部屋への宿泊人数を多くすることが可能な客室に関する。
【背景技術】
【０００２】
駅前やショッピング街等の繁華街に設けられるホテルとして、シングルルームを中心として保有するビジネスホテルが多く建設される。土地単価に対する採算性を考慮して所定面積あたりの客室数を多く確保するためである。一方、このようなビジネスホテルとしてもホテルとしての付帯設備を備える必要があり、浴槽、洗面台及びトイレが一体となっているユニットバスやロッカーが部屋内に配置されると共に、机や椅子、テレビ等の備品が配置されている。特許文献１には、客室の間取りを工夫してこれらの付帯設備や備品を配置しても、客室を広く使用できることが可能な配置構造が開示されている。
【０００３】
しかしながら、客室の間取りを工夫しても、ユニットバス、ロッカーや机、テレビが部屋内に配置されるのに加え、これらが配置された一つの部屋を一人の宿泊客が使用するものであるから部屋への宿泊人数を多くすることができず、部屋の床面積に対する使用効率を増大させるのに限界がある。
【０００４】
カプセルホテルは、人が出入りする出入口だけを開口し、出入口を除く周囲が周壁によって囲まれた横長中空状のカプセルベッドを用いるものであり、宿泊客が使用する空間が小さくなっている。カプセルホテルはこのようなカプセルベッドを複数並べたり、重ねて用いるため、床面積の使用効率を増大させることができる。しかしながら、カプセルベッドは宿泊客が狭い空間内に押し込まれるため、窮屈で閉鎖的であり、開放感がなく、くつろぐことができないものとなっている。
【先行技術文献】
【特許文献】
【０００５】
【特許文献１】特開２００３−１２９６８１号公報
【発明の概要】
【発明が解決しようとする課題】
【０００６】
以上のように、ビジネスホテルでは、間取りを工夫しても床面積の使用効率を増大させることに限界があり、カプセルホテルでは、床面積の使用効率を増大させても、くつろぐことができないものとなっている。
【０００７】
本発明は、このような点を考慮してなされたものであり、客室への宿泊客を増大させて床面積の使用効率を増大させることができ、しかもくつろぐことができる宿泊が可能なホテルの客室を提供することを目的とする。
【課題を解決するための手段】
【０００８】
本発明のホテルの客室は、入り口ドアから部屋の奥側に向かって延びる通路が設けられ、前記通路の長手方向に沿って延びるベッドが上下２段かつ通路の左右両側に２列に並べられることにより８人分のベッドが部屋内に配置され、前記通路の長手方向で隣接しているベッドの間に仕切り壁が設けられて隣接するベッド間が仕切られていることを特徴とする。
【０００９】
この場合、前記各ベッドのベッド空間と前記通路とがカーテンによって間仕切り可能となっていることが好ましい。
また、前記ベッドの配置領域以外の領域に洗面台、トイレ室、ロッカーが配置されていることが好ましい。
【発明の効果】
【００１０】
本発明によれば、部屋の通路の長手方向に沿って延びるベッドが上下２段かつ通路の左右両側に２列に並べられることにより８人分のベッドが部屋内に配置されるため、一の部屋に少なくとも８人が宿泊でき、床面積に対する使用効率を増大させることができる。
【００１１】
また、通路の長手方向で隣接しているベッドの間に仕切り壁が設けられて隣接するベッド間が仕切られているため、隣接するベッドとの干渉がなく、宿泊客がくつろぐことができる。
【図面の簡単な説明】
【００１２】
【図１】本発明の一実施形態の客室の水平方向の断面図である。
【図２】本発明の一実施形態の客室の垂直方向の断面図である。
【図３】本発明の一実施形態の客室の内部を入口ドア側から示す斜視図である。
【発明を実施するための形態】
【００１３】
図１〜図３は、本発明の一実施形態のホテルの客室１であり、図１は水平方向の断面図、図２は垂直方向の断面図、図３は斜視図である。
【００１４】
図１に示すように、この実施形態の客室１は、ホテル建造物の廊下６側の廊下壁７とホテル建造物の外壁５との間に設けられている。客室１はこれらの廊下壁７と、外壁５と、隣の部屋との境となる戸境壁３、４とによって囲まれることにより宿泊室となる部屋２を形成する。なお、図２に示すように、部屋２は階層壁１０、１１によって上下の階層と仕切られている。
【００１５】
外壁５には窓部８が設けられ、廊下壁７には開閉自在な入口ドア９が形成されている。部屋２は入口ドア９と窓部８との間の長さが戸境壁３、４の間の長さよりも長くなった長方形に形成されており、入口ドア９から窓部８に向かう方向が長手方向となっている。
【００１６】
部屋２には、入口ドア９から窓部８にかけて通路２１が形成されている。通路２１は入口ドア９から部屋２の奥側の窓部８に向かって一体に延びており、部屋２の長手方向の全長にかけて長尺状となって形成されている。
【００１７】
図３に示すように、本実施形態の客室１においては、通路２１の両側にはベッド３１、３２、３３、３４、３５、３６、３７、３８が配置されている。ベッド３１〜３４は通路２１の片側（左側）に配置され、ベッド３５〜３８は通路２１の他側（右側）に配置され、これらのベッドの配置により通路２１がベッドに挟まれた状態となっている。ベッド３１〜３８はいずれもシングルベッドであり、通路２１の長手方向に延びるように部屋２内に配置されている。以下、ベッドの配置について説明する。
【００１８】
通路２１の両側におけるベッドは、上下２段となるように部屋２内に設けられるものであり、ベッド３１、３２が２段の組、ベッド３３、３４が２段の組、ベッド３５、３６が２段の組、ベッド３７、３８が２段の組となっている。本実施形態において、ベッド３１、３２、３５、３６は入口ドア９側に位置し、ベッド３３、３４、３７、３８は部屋の奥側（窓部８側）に位置しており、これらのベッドは通路２１に対し、左右両側に２列に並べられて設けられている。すなわち、通路２１の左側においては、下段のベッド３１、３３が通路２１に沿って２列に並べられ、上段のベッド３２、３４が通路２１に沿って２列に並べられている。通路２１の右側においては、下段のベッド３５、３７が通路２１に沿って２列に並べられ、上段のベッド３６、３８が通路２１に沿って２列に並べられている。このようなベッドの配置では、一の部屋２内に８人分のベッドが整然として配置される。これにより客室１には少なくとも８人の宿泊客の宿泊が可能となる。従って、床面積に対する使用効率を増大させることができる。なお、２段の組となってベッドのそれぞれには、梯子４９が設けられることにより、通路２１から上段のベッド３２、３４、３６、３８への移動が可能となっている。
【００１９】
ベッド３１〜３８は、片側がいずれも対応した戸境壁３、４に接するように配置されるが、通路２１側は開放されて宿泊客のベッドへの出入りが可能となっている。通路側２１が開放されていることにより、通路２１を介して部屋２内を見ることができ、開放感を味わうことができ、くつろぐことができる。
【００２０】
本実施形態では、通路２１の長手方向で隣接しているベッドの間に仕切り壁４１、４２が設けられている。すなわち、通路２１の左側においては、２段のベッド３１、３２と通路２１の長手方向で隣接しているベッド３３、３４との間に仕切り壁４１が形成されており、この仕切り壁４１によって下段で隣接しているベッド３１と３３とが仕切られると共に、上段で隣接しているベッド３２と３４とが仕切られている。また、通路２１の右側においては、２段のベッド３５、３６と通路２１の長手方向で隣接しているベッド３７、３８との間に仕切り壁４２が形成されており、この仕切り壁４２によって下段で隣接しているベッド３５と３７とが仕切られると共に、上段で隣接しているベッド３６と３８とが仕切られている。このように通路２１の長手方向と隣接するベッドが仕切り壁４１、４２によって仕切られることにより、通路２１の長手方向で隣接しているベッドと干渉することがないため、それぞれのベッド３１〜３８のベッド空間に入り込んだ宿泊客がくつろぐことができる。
【００２１】
それぞれのベッド３１〜３８における通路２１側にはカーテン４７が開閉可能に設けられている。そしてカーテン４７を一方向に引くことによりカーテン４７が閉じて間仕切りとなり、ベッド３１〜３８が形成するベッド空間を通路２１と遮断することができる。このため、宿泊客がベッド空間内で睡眠や休息をとることができる。
【００２２】
なお、ベッド３１〜３８によって形成されるベッド空間には蛍光灯等の照明灯４５が設けられており、これによりベッド空間内で読書等が可能となっている。
【００２３】
以上に加えて本実施形態では、ベッドの配置領域以外の領域に宿泊の際に使用される付帯設備が配置される。付帯設備としては、洗面台５１、トイレ室５２、ロッカー５３、冷蔵庫５４等が配置されるものであり、洗面台５１及びトイレ室５２が通路２１の右側に配置され、ロッカー５３及び冷蔵庫５４が通路２１の左側に配置されている。これらの付帯設備５２、５３、５４は通路２１における入口ドア９側に配置されており、宿泊客のいずれもが自由に使用することができるため、宿泊の便とすることができる。
【００２４】
このような実施形態のホテルの客室１によれば、通路２１の長手方向に沿って延びるベッド３１〜３８が上下２段かつ通路の左右両側に２列に並べられることにより８人分のベッド３１〜３８が部屋２内に配置された構造となっている。このため、一部屋に少なくとも８人が宿泊でき、一部屋に一人の宿泊客が使用する従来のビジネスホテルに比べて床面積に対する使用効率を飛躍的に増大させることができる。また、ホテル経営側では、部屋の増築をすることなく、ホテルへの宿泊客を増大させることができるため、小経費で売上げを拡大することができる。
【００２５】
このようなホテルの客室１は、一部屋への宿泊人数が多く、宿泊料金を安価にして提供することができるため、例えば、学生徒や高校生徒の修学旅行の宿泊施設として好適となる。また、観光地、名所旧跡の長期の視察や慰安旅行にも良好に用いることができる。さらに、所定の床面積への宿泊人数が多いことから、大災害時における大人数の避難宿泊所としても利用することができる。
【００２６】
また、従来のカプセルホテルは、開放感がなく、くつろぐことができないが、本実施形態では、通路２１の長手方向で隣接しているベッド３１〜３８の間に仕切り壁４１、４２が設けられて隣接するベッド間が仕切られているため、隣接するベッドとの干渉がなく、宿泊客がくつろぐことができる。
【符号の説明】
【００２７】
１  客室
２  部屋
３、４  戸境壁
５  外壁
６  廊下
７  廊下壁
８  窓部
９  入口ドア
１０、１１  階層壁
２１  通路
３１〜３８  ベッド
４１、４２  仕切り壁
４５  照明灯
４７  カーテン
５１  洗面台
５２  トイレ室
５３  ロッカー
５４  冷蔵庫
【図１】
2014234678.tif 000003
【図２】
2014234678.tif 000004
【図３】
2014234678.tif 000005